(57)【特許請求の範囲】
【請求項１】
フェムトセル基地局の過負荷状態を試験的に再現するための手順又は条件を記述するシナリオを、過負荷状態にあるフェムトセル基地局の性能評価から逆算して作成するシナリオ作成手段と、
前記フェムトセル基地局との間で無線通信を行う移動機を前記シナリオに基づいて制御することにより前記無線通信の負荷を試験的に増大させる負荷試験手段と、
を備える、負荷試験装置。
【請求項２】
請求項１に記載の負荷試験装置であって、
前記シナリオは、前記無線通信の負荷を試験的に変動させるように記述されている、負荷試験装置。
【請求項３】
請求項１又は請求項２に記載の負荷試験装置であって、
前記シナリオは、長時間継続して前記無線通信の負荷を試験的に増大させるように記述されている、負荷試験装置。
【請求項４】
フェムトセル基地局の過負荷状態を試験的に再現するための手順又は条件を記述するシナリオを、過負荷状態にあるフェムトセル基地局の性能評価から逆算して作成し、
前記フェムトセル基地局との間で無線通信を行う移動機を前記シナリオに基づいて制御することにより前記無線通信の負荷を試験的に増大させる、負荷試験方法。
【請求項５】
コンピュータを、
フェムトセル基地局の過負荷状態を試験的に再現するための手順又は条件を記述するシナリオを、過負荷状態にあるフェムトセル基地局の性能評価から逆算して作成するシナリオ作成手段、及び
前記フェムトセル基地局との間で無線通信を行う移動機を前記シナリオに基づいて制御することにより前記無線通信の負荷を試験的に増大させる負荷試験手段、
として機能させるための負荷試験プログラム。
【発明の詳細な説明】
【技術分野】
【０００１】
本発明はフェムトセル基地局の負荷試験を行うための装置、方法、及びプログラムに関する。
【背景技術】
【０００２】
フェムトセル基地局は、家庭用向けデジタル加入者線又はケーブルブロードバンド接続等を利用して移動機を公衆回線等に接続する機能を有する低出力のワイヤレスアクセスポイントである。フェムトセル基地局は、過負荷状態においても安定動作の保証が要求されるため、負荷試験装置を使用してその動作の安定性の検証が行われている。例えば、特開平１１−１２７１０２号公報に開示されているように、従来の負荷試験では、負荷試験装置が移動機の発着呼タイミングを制御して基地局の過負荷状態を試験的に再現し、基地局が正常に動作するか否かを検証している。
【先行技術文献】
【特許文献】
【０００３】
【特許文献１】特開平１１−１２７１０２号公報
【発明の概要】
【発明が解決しようとする課題】
【０００４】
しかし、人通りの多い道路や店舗等にフェムトセル基地局が設置される場合には、多数の移動機からの適応多重レート方式により音声符号化された音声信号の発着信、ショートメッセージサービスの発着信、及びパケット通信の発着信の回数が実験室内で想定される予測定範囲を超える場合があり、同様に、移動機の存圏／離圏の繰り返し回数が予測範囲を超える場合がある。従来の負荷試験では、各種の発着信動作と多くの存圏／離圏の繰り返しが組み合わされるような、実フィールドでの負荷を擬似した複雑且つ高い負荷を実験室で再現するには不十分であった。
【０００５】
そこで、本発明は実フィールドでの負荷を擬似した負荷でフェムトセル基地局の負荷試験を行うことを課題とする。
【課題を解決するための手段】
【０００６】
上記の課題を解決するため、本発明に係わる負荷試験装置は、フェムトセル基地局の過負荷状態を試験的に再現するための手順又は条件を記述するシナリオを、過負荷状態にあるフェムトセル基地局の性能評価から逆算して作成するシナリオ作成手段と、フェムトセル基地局との間で無線通信を行う移動機をシナリオに基づいて制御することにより無線通信の負荷を試験的に増大させる負荷試験手段と、を備える。
【発明の効果】
【０００７】
本発明によれば、実フィールドでの負荷を擬似した負荷でフェムトセル基地局の負荷試験を行うことができる。
【図面の簡単な説明】
【０００８】
【図１】本実施形態に係わる負荷試験装置の構成を示す機能ブロック図である。
【発明を実施するための形態】
【０００９】
以下、図面を参照しながら本発明に係わる実施形態について説明する。
図１は本実施形態に係わる負荷試験装置１０の構成を示す機能ブロック図である。負荷試験装置１０は、フェムトセル基地局３０のカバレッジエリア３１内に配置されている移動機２１〜２７の動作を制御することにより、移動機２１〜２７とフェムトセル基地局３０との間の通信負荷を試験的に増大させ、フェムトセル基地局３０の負荷試験を行うためのコンピュータである。移動機２１〜２７は、例えば、スマートフォン等の高機能携帯電話であり、フェムトセル基地局３０との間で所定の通信方式（例えば、符号分割多重接続方式）により無線通信を行う。ここで、移動機２１は、例えば、対向機である移動機２６との間でフェムトセル基地局３０を介して適応多重レート方式により音声符号化された音声信号の発着信を試験的に行うための試験端末である。移動機２２は、例えば、対向機である移動機２７との間でフェムトセル基地局３０を介してショートメッセージサービスの発着信を試験的に行うための試験端末である。移動機２３は、例えば、フェムトセル基地局３０を介してパケット通信の発着信を試験的に行うための試験端末である。移動機２４，２５は、例えば、カバレッジエリア３１の存圏／離圏を試験的に変更するための試験端末である。
【００１０】
負荷試験装置１０は、移動機２１〜２７及びフェムトセル基地局３０にＵＳＢケーブル等を介して接続する通信部１１と、移動機２１〜２５の動作を制御するとともに、フェムトセル基地局３０の正常時の処理能力や過負荷状態での挙動を測定及び解析することにより、フェムトセル基地局３０の性能評価を行う制御部１２と、負荷試験プログラム１６及び負荷試験の手順又は条件を記述するシナリオシナリオ１７を記憶するための記憶部１３とを備えている。制御部１２は、ＣＰＵ及びメモリ等を含む回路基板から構成されており、例えば、オペレーティングシステム上で負荷試験プログラム１６を実行することにより、過負荷状態にあるフェムトセル基地局３０の性能評価から逆算してシナリオ１７を作成する作成するシナリオ作成手段１４として機能するとともに、移動機２１〜２３の各種発着信及び移動機２４，２５の存圏／離圏の変更をシナリオ１７に基づいて制御することにより無線通信の負荷を試験的に増大させる負荷試験手段１５として機能する。
【００１１】
シナリオ１７は、フェムトセル基地局３０の過負荷状態を試験的に再現するための手順又は条件を記述している。この手順又は条件は、上述の各種発着信の種別、順序、繰り返し回数、繰り返し間隔、及び存圏／離圏の繰り返し回数、繰り返し間隔等を含む。実フィールドでの運用では、実験室内で想定される負荷よりも複雑且つ高い負荷がフェムトセル基地局３０に加えられる場合がある。このような複雑且つ高い負荷を試験的に再現するには、実フィールドで運用されているフェムトセル基地局３０の性能評価の一つであるＫＰＩ（key performance indicator）から逆算してシナリオ１７を作成するのが好ましい。
【００１２】
フェムトセル基地局２０のＫＰＩの一例を下式に示す。
Ｋ1＝３６００Ａ1／２ａ1＋３６００Ａ2／２ａ2＋Ｂ1＋Ｂ2＋Ｃ1＋Ｄ1…（１）
Ｋ2＝３６００Ａ3／２ａ3…（２）
Ｋ3＝３６００Ｂ1／ｂ1＋３６００Ｂ2／ｂ2＋３６００Ａ1／２ａ1…（３）
Ｋ4＝Ｂ1＋３６００Ｂ2／ｂ2＋３６００Ａ1／２ａ1…（４）
Ｋ5＝３６００Ｃ1／ｃ1…（５）
Ｋ6＝Ａ1／２＋Ａ2／２＋Ｂ1＋Ｂ2＋Ｃ1＋Ｄ1…（６）
【００１３】
ここで、Ｋ1は音声通信／パケット通信の位置登録成功数、Ｋ2は音声通信／パケット通信の位置登録失敗数、Ｋ3はパケット通信の実施回数、Ｋ4はパケットデータプロトコルの確立回数、Ｋ5は音声通信の実施回数、Ｋ6は一つのセルに存圏している移動機の数を示す。移動機として、アンドロイド端末、コンベンショナル端末、意図的に位置登録が拒絶される端末、PS Callを行う端末、PCデータ通信を行う端末、CS Callを行う端末、周期位置登録を行う端末があり、Ａ1はアンドロイド端末の台数、Ａ2はコンベンショナル端末の台数、Ａ3は意図的に位置登録が拒絶される端末の台数、Ｂ1はPS Callを行う端末の台数、Ｂ2はPCデータ通信を行う端末の台数、Ｃ1はCS Callを行う端末の台数、Ｄ1は周期位置登録を行う端末の台数を示す。ａ1はアンドロイド端末の位置登録の繰り返し間隔、ａ2はコンベンショナル端末の位置登録の繰り返し間隔、ａ3は意図的に位置登録が拒絶される端末の位置登録の繰り返し間隔、ｂ1はPS Callの繰り返し間隔、ｂ2はPCデータ通信の繰り返し間隔、ｃ1はCS Callの繰り返し間隔、ｄ1は周期位置登録の繰り返し間隔を示す。
【００１４】
シナリオ作成手段１４は、Ｋ1〜Ｋ6の理論値が実フィールドでのＫ1〜Ｋ6の実測値に合致するように、各パラメータ（ａ1，ａ2，ａ3，ｂ1，ｂ2，ｃ1）の値を調整することにより、実フィールドで運用されているフェムトセル基地局３０の性能評価の一つであるＫＰＩから逆算してシナリオ１７を作成することができる。
【００１５】
シナリオ１７は、移動機２１〜２７とフェムトセル基地局３０との間の無線通信の負荷を試験的に変動させるように、上述の手順又は条件を記述してもよい。例えば、上述の各種発着信の種別、順序、繰り返し回数、繰り返し間隔、及び存圏／離圏の繰り返し回数、繰り返し間隔等を僅かに変動（回数の増加又は減少、繰り返し間隔の短縮又は延長）させることにより、実フィールドにおけるフェムトセル基地局３０の負荷をより忠実に再現できる。
【００１６】
シナリオ１７は、長時間継続して無線通信の負荷を試験的に増大させるように記述されてもよい。フェムトセル基地局３０を長時間継続して過負荷状態におくことにより、実験室レベルでの簡易な負荷試験では判明できなかった問題点や課題が初めて発見されることもあり得る。このような問題点や課題の発見は、フェムトセル基地局３０の改良に役立つ。
【００１７】
本実施形態によれば、フェムトセル基地局３０の過負荷状態を試験的に再現するための手順又は条件を記述するシナリオ１７を過負荷状態にあるフェムトセル基地局３０の性能評価から逆算して作成するため、実フィールドでの負荷を擬似した負荷でフェムトセル基地局３０の負荷試験を行うことができる。
【符号の説明】
【００１８】
１０…負荷試験装置
１１…通信部
１２…制御部
１３…記憶部
１４…シナリオ作成手段
１５…負荷試験手段
１６…負荷試験プログラム
１７…シナリオ
２１〜２５…移動機（試験端末）
２６，２７…移動機（対向機）
３０…フェムトセル基地局
３１…カバレッジエリア
【要約】
【課題】実フィールドでの負荷を擬似した負荷でフェムトセル基地局の負荷試験を行う。
【解決手段】負荷試験装置１０は、フェムトセル基地局３０の過負荷状態を試験的に再現するための手順又は条件を記述するシナリオ１７を、過負荷状態にあるフェムトセル基地局３０の性能評価から逆算して作成するシナリオ作成手段１４と、フェムトセル基地局３０との間で無線通信を行う移動機２１〜２５をシナリオ１７に基づいて制御することにより無線通信の負荷を試験的に増大させる負荷試験手段１５と、を備える。
【選択図】図１【図１】
0005395244.tif 000002